(57)【要約】  本発明は、２つの回転体および接続シャフトを備えるエネルギーを手動によって貯蔵することができる手持ち式ヨーヨーボールを開示する。各回転体は、ディスク体およびシェルを備えており、１つのディスク体は、その内部にクラッチ機構が設けられており、他のディスク体は、その内部にエネルギー貯蔵機構が設けられており、接続シャフトの２つの端は、それぞれ、クラッチ機構およびエネルギー貯蔵機構に接続されている。クラッチ機構が位置する端における回転体を手動によって回転させると、エネルギーがエネルギー貯蔵機構に貯蔵され、次いで、クラッチ機構の噛合状態を手動によって解除させると、エネルギー貯蔵機構がエネルギーを解放し、２つの回転体を同期して回転駆動させるようになっている。
2016539771.tif 000002
【特許請求の範囲】
【請求項１】
２つの回転体（１）および前記２つの回転体（１）を接続する接続シャフト（２）を備えるエネルギーを手動によって貯蔵することができる手持ち式ヨーヨーボールであって、前記回転体（１）のいずれも、ディスク体（１１）およびシェル（１２）を備えており、１つの回転体（１）の前記ディスク体（１１）は、その内部にクラッチ機構が設けられており、他の回転体（１）の前記ディスク体（１１）は、その内部にエネルギー貯蔵機構が設けられており、前記接続シャフト（２）の２つの端は、それぞれ、前記クラッチ機構および前記エネルギー貯蔵機構に接続されており、前記クラッチ機構が位置する端における前記回転体（１）を手動によって回転させることで、エネルギーが前記エネルギー貯蔵機構に貯蔵され、前記クラッチ機構の噛合状態を手動によって解除することで、前記エネルギー貯蔵機構が前記エネルギーを解放し、前記２つの回転体（１）を同期して回転駆動させるようになっていることを特徴とする、手持式ヨーヨーボール。
【請求項２】
前記クラッチ機構は、第１のクラッチ歯車（３１）および第２のクラッチ歯車（３２）を備えるクラッチ歯車組（３）と、前記クラッチ歯車組（３）を係合または離脱させるように制御するエスケープメント部材（４）と、を備えており、前記エスケープメント部材（４）の制御端は、前記回転体（１）の前記シェル（１２）の中央から延出しており、前記シェル（１２）は、前記クラッチ歯車組（３）の前記第１のクラッチ歯車（３１）に固定して接続されており、前記エネルギー貯蔵機構は、前記接続シャフト（２）によって、前記クラッチ歯車組（３）の前記第２のクラッチ歯車（３２）に連結されるようになっており、前記エスケープメント部材（４）は、前記クラッチ歯車組（３）が係合された状態で、前記シェル（１２）を手動によって回転させることによって、弾性ポテンシャルエネルギーが前記エネルギー貯蔵機構に貯蔵されるように、制御されるようになっており、前記エスケープメント部材（４）は、前記クラッチ歯車組（３）が離脱され、これによって、前記エネルギー貯蔵機構が前記弾性ポテンシャルエネルギーを解放し、前記２つの回転体（２）を同期して回転駆動させるように、制御されることを特徴とする、請求項１に記載のエネルギーを手動によって貯蔵することができる手持式ヨーヨーボール。
【請求項３】
前記エスケープメント部材（４）は、前記シェル（１２）の中央から延出する押圧キャップ（４１）と、凸状斜面（４２１）をその上に配置したエスケープメントシャフト（４２）と、前記エスケープメントシャフト（４２）の下側部に嵌着された上端押圧円柱（４３）と、前記上端押圧円柱（４３）の往復動を制限するためのストロークシート（４４）と、前記クラッチ歯車組（３）の前記第２のクラッチ歯車（３２）の下に取り付けられ、前記第２のクラッチ歯車（３２）を押し上げるために用いられるバネ（４５）と、を備えており、これに対応して、前記クラッチ歯車組（３）の前記第１のクラッチ歯車（３１）の中央の丸孔は、前記エスケープメントシャフト（４２）の前記凸状斜面（４２１）に適合する斜面（３１１）と、前記クラッチ歯車組（３）の係合および離脱を行なうために用いられる溝（３１２）と、遮断面（３１３）と、を備えており、前記押圧キャップ（４１）を押圧することによって、前記エスケープメントシャフト（４２）の前記凸状斜面（４２１）が前記第１のクラッチ歯車（３１）の前記溝（３１２）内に入るように切り換えられ、これによって、前記第２のクラッチ歯車（３２）が前記バネ（４５）の作用によって押し上げられ、前記第１のクラッチ歯車（３１）に係合するようになっており、前記押圧キャップ（４１）を再び押圧することによって、前記エスケープメントシャフト（２）の前記凸状斜面（４２１）が前記第１のクラッチ歯車（３１）の前記遮断面（３１３）内に入るように切り換えられ、これによって、前記第２のクラッチ歯車（３２）が前記第１のクラッチ歯車（３１）から離脱されるまで、前記上端押圧円柱（４３）が前記第２のクラッチ歯車（３２）を押し下げるようになっていることを特徴とする、請求項２に記載のエネルギーを手動によって貯蔵することができる手持式ヨーヨーボール。
【請求項４】
前記ストロークシート（４４）の下側部に不規則孔（４４１）が設けられており、これに対応して、前記接続シャフト（２）の対応する端は、前記不規則孔（４４１）に適合して接続される不規則差込円柱（２１）となるように設計されており、前記不規則孔（４４１）は、前記不規則差込円柱（２１）に組み合わされた状態で、ネジによって、係止され、かつ固定されるようになっていることを特徴とする、請求項３に記載のエネルギーを手動によって貯蔵することができる手持式ヨーヨーボール。
【請求項５】
前記ストロークシート（４４）の上面に挿入耳部（４４２）が凸状に設けられており、これに対応して、前記第１のクラッチ歯車（３１）に挿入孔（３１４）が設けられており、前記挿入耳部（４４２）を前記挿入孔（３１４）に組み入れることによって、前記シェル（１２）が手動によって回転されたとき、前記第１のクラッチ歯車（３１）が、前記ストロークシート（４４）および前記接続シャフトを同期して回転駆動させ、前記接続シャフト（２）の回転によって、前記エネルギー貯蔵機構に弾性ポテンシャルエネルギーを貯蔵し、さらに駆動させるようになっていることを特徴とする、請求項４に記載のエネルギーを手動によって貯蔵することができる手持式ヨーヨーボール。
【請求項６】
前記ディスク体（１１）の内側方向に３つの耳部（１１１）が凸状に設けられており、これに対応して、前記耳部（１１１）に嵌着される３つのバネ（４５）が設けられており、これに対応して、前記第２のクラッチ歯車（３２）に前記耳部（１１１）に嵌着される３つの耳孔（３２１）が設けられていることを特徴とする、請求項３に記載のエネルギーを手動によって貯蔵することができる手持式ヨーヨーボール。
【請求項７】
前記エネルギー貯蔵機構は、エネルギー貯蔵バネ（５）と、前記エネルギー貯蔵バネ（５）が取り付けられたバネケース（６）と、前記バネケース（６）の上方に取り付けられ、弾性ポテンシャルエネルギーが貯蔵されるとき、前記エネルギー貯蔵バネ（５）が逆方向に回転してエネルギーを放出することを防ぐために用いられるようになっている、一方向歯車（７）と、を備えており、前記エネルギー貯蔵バネ（５）および前記一方向歯車（７）の両方は、前記接続シャフト（２）と同期回転可能になっており、前記クラッチ機構が位置する端における前記回転体（１）を手動によって回転させると、前記エネルギー貯蔵バネ（５）および前記一方向歯車（７）は、同期回転し、弾性ポテンシャルエネルギーを貯蔵するようになっており、前記クラッチ機構の噛合を手動によって解除させることによって、前記エネルギー貯蔵バネ（５）が前記弾性ポテンシャルエネルギーを解放し、前記一方向歯車（７）が逆方向に回転し、前記２つの回転体（１）を同期して回転駆動させるようになっていることを特徴とする、請求項１に記載のエネルギーを手動によって貯蔵することができる手持式ヨーヨーボール。
【請求項８】
貫通孔（６０）が、前記バネケース（６）の中央に形成されており、前記一方向歯車（７）に耳部（７０）が下方に凸状に設けられており、前記耳部（７０）は、貫通孔（７）を通って、前記バネケース（６）内に入るようになっており、前記耳部（７０）の周囲に沿って、互いに離間して分配された複数の円弧片（７１）が設けられており、前記円弧片（７１）と前記耳部（７０）との間に間隙が保たれており、前記円弧片（７１）の下端にフック（７１１）が設けられており、前記一方向歯車（７）が前記バネケース（６）の前記貫通孔（６０）内に挿入された状態で、前記フック（７１１）が前記バネケース（６）の前記貫通孔（６０）の外に引き伸ばされ、前記貫通孔の側面に固定され、これによって、前記一方向歯車（７）が前記バネケース（６）に相対的に回転可能に接続されるようになっており、前記エネルギー貯蔵バネ（５）の内端は、前記円弧片（７１）と前記一方向歯車（７）の前記耳部（７０）との間の間隙に固定して接続されるようになっていることを特徴とする、請求項７に記載のエネルギーを手動によって貯蔵することができる手持式ヨーヨーボール。
【請求項９】
前記バネケース（６）は、ケース体（６１）およびカバー体（６２）を備えており、
ノッチ（６１１）が前記ケース体（６１）の縁に形成されており、前記エネルギー貯蔵バネ（５）の外端は、前記ノッチ（６１１）に固定して接続されており、前記カバー体（６２）の周囲に沿って、３つの孔付き耳部（６２１）が設けられており、前記カバー体（６２）が前記ケース体（６１）に被せられた状態で、前記カバー体（６２）および前記ケース体（６１）は、前記耳部（６２１）の孔および前記回転体（１）のネジ孔によって真っ直ぐに並べられ、ネジによって、接続され、かつ固定されるようになっていることを特徴とする、請求項８に記載のエネルギーを手動によって貯蔵することができる手持式ヨーヨーボール。
【請求項１０】
前記一方向歯車（７）は、内側歯車ディスク（７２）と、前記内側歯車ディスク（７２）内に配置された複数の自動的に回転可能な制限ブロック（７３）と、を備えており、前記内側歯車ディスク（７２）の歯車歯は、螺旋歯車歯であり、前記制限ブロック（７３）の制限爪は、前記螺旋歯車歯内にクランプされ、これによって、前記一方向歯車（７）の一方向回転を達成するようになっていることを特徴とする、請求項７に記載のエネルギーを手動によって貯蔵することができる手持ち式ヨーヨーボール。
【請求項１１】
前記エネルギー貯蔵機構が位置する端における前記回転体（１）の前記シェル（１２）に取付け位置部（１２１）が設けられており、前記取付け位置部（１２１）に前記制限ブロック（７３）が取り付けられるようになっており、前記シェル（１２）の中央部は、前記接続シャフト（２）の端に接続され、ネジによって、係止され、かつ固定されており、これによって、前記シェル（１２）が前記クラッチ機構によって駆動され、噛合状態で回転するとき、前記エネルギー貯蔵バネ（５）および前記一方向歯車（７）は、同期回転し、弾性ポテンシャルエネルギーを貯蔵するようになっていることを特徴とする、請求項１０に記載のエネルギーを手動によって貯蔵することができる手持式ヨーヨーボール。
【請求項１２】
前記シェル（１２）の外側面において、指で摘んで回転させるのに都合のよいシャンク（１２２）が設けられていることを特徴とする、請求項１に記載のエネルギーを手動によって貯蔵することができる手持ち式ヨーヨーボール。
【請求項１３】
前記クラッチ機構が位置する前記回転体（１）は、その内部に錘リング（８）が設けられており、前記錘リング（８）は、前記回転体（１）の前記ディスク体（１１）内に配置されており、前記錘リング（８）を固定するために、リングカバー（８０）が前記錘リング（８）上に被せられ、前記ディスク体（１１）に係止されるようになっていることを特徴とする、請求項１に記載のエネルギーを手動によって貯蔵することができる手持ち式ヨーヨーボール
【発明の詳細な説明】
【技術分野】
【０００１】
本発明は、ヨーヨーボールに関し、詳細には、エネルギーを手動によって貯蔵することができる手持ち式ヨーヨーボールに関する。
【背景技術】
【０００２】
現在の市場において、ヨーヨーボールは、本質的に２つの回転体および２つの回転体を接続する接続シャフトから成っており、紐が２つの回転体の中央に巻き付けられるようになっている。ヨーヨーボール体は、紐の端において急速に回転可能となるように、力いっぱい投げ下ろされる。しかし、ヨーヨーボールの戻りシステムおよび軸受システムによって制限され、背の低いユーザーは、紐を用いてヨーヨーボール体を投げ下ろすことによってプレイを行なうことができない。これは、紐の長さがユーザーの背の高さに比例するからである。背の高いユーザーの場合、ボール体が投げ下ろされた後、ボール体がある一定速度に加速するのに十分な加速領域があり、これによって、種々の曲芸的な動きをもたらすことができる。一方、背の低いプレーヤーの場合、ボール体に動きをもたらすことができない。何故なら、ボール体が投げ下ろされた後の加速領域が余りにも短く、ボール体の回転速度が十分に早くならないからである。
【発明の概要】
【発明が解決しようとする課題】
【０００３】
本発明の目的は、上記の問題を解消すること、および興味深くかつ回転によってエネルギーを貯蔵させることができる、エネルギーを手動によって貯蔵することができる手持式ヨーヨーボールを提供することにある。
【課題を解決するための手段】
【０００４】
本発明の技術的解決策は、以下のように実施されることになる。
【０００５】
エネルギーを手動によって貯蔵することができる手持ち式ヨーヨーボールは、２つの回転体および２つの回転体を接続する接続シャフトを備えている。回転体のいずれも、ディスク体およびシェルを備えており、１つの回転体のディスク体は、その内部にクラッチ機構が設けられており、他の回転体のディスク体は、その内部にエネルギー貯蔵機構が設けられている。接続シャフトの２つの端は、それぞれ、クラッチ機構およびエネルギー貯蔵機構に接続されている。クラッチ機構が位置する端における回転体を手動によって回転させると、エネルギーがエネルギー貯蔵機構に貯蔵され、次いで、クラッチ機構の噛合状態を手動によって解除させると、エネルギー貯蔵機構がエネルギーを解放し、２つの回転体を同期して回転駆動させることになる。
【０００６】
クラッチ機構は、第１のクラッチ歯車および第２のクラッチ歯車を備えるクラッチ歯車組と、クラッチ歯車組を係合または離脱させるように制御するエスケープメント部材と、を備えており、エスケープメント部材の制御端は、回転体のシェルの中央から延出しており、シェルは、クラッチ歯車組の第１のクラッチ歯車に固定して接続されており、エネルギー貯蔵機構は、接続シャフトによって、クラッチ歯車組の第２のクラッチ歯車に連結されるようになっており、エスケープメント部材は、クラッチ歯車組が係合された後、シェルを手動によって回転させることによって、弾性ポテンシャルエネルギーがエネルギー貯蔵機構に貯蔵されるように、制御されるようになっており、次いで、エスケープメント部材は、クラッチ歯車組が離脱され、これによって、エネルギー貯蔵機構が弾性ポテンシャルエネルギーを解放し、２つの回転体を同期して回転駆動させるように、制御されるようになっている。
【０００７】
本発明のエスケープメント部材は、シェルの中央から延出する押圧キャップと、エスケープメントシャフトであって、その上に配置された凸状斜面を有している、エスケープメントシャフトと、エスケープメントシャフトの下側部に嵌着された上端押圧円柱と、上端押圧円柱の往復動を制限するためのストロークシートと、クラッチ歯車組の第２のクラッチ歯車の下に取り付けられ、第２のクラッチ歯車を押し上げるために用いられるようになっているバネと、を備えており、これに対応して、クラッチ歯車組の第１のクラッチ歯車の中央の丸孔は、エスケープメントシャフトの凸状斜面に適合する斜面と、クラッチ歯車組の係合および離脱を行なうために用いられる溝と、遮断面と、を備えている。押圧キャップを押圧することによって、エスケープメントシャフトの凸状斜面が第１のクラッチ歯車の溝内に入るように切り換えられ、これによって、第２のクラッチ歯車がバネの作用によって押し上げられ、第１のクラッチ歯車に係合するようになっており、押圧キャップを再び押圧することによって、エスケープメントシャフトの凸状斜面が第１のクラッチ歯車の遮断面内に入るように切り換えられ、これによって、第２のクラッチ歯車が第１のクラッチ歯車から離脱されるまで、上端押圧円柱が第２のクラッチ歯車を押し下げるようになっている。
【０００８】
第１のクラッチ歯車がエネルギー貯蔵機構を回転駆動させ、弾性ポテンシャルエネルギーを貯蔵させることを可能にするために、ストロークシートの下側部に不規則孔が設けられており、これに対応して、接続シャフトの対応する端は、不規則孔に適合して接続される不規則差込円柱となるように設計されている。不規則孔は、不規則差込円柱に組み合わされた後、ネジによって、係止され、かつ固定されるようになっている。ストロークシートの上面に挿入耳部が凸状に設けられており、これに対応して、第１のクラッチ歯車に挿入孔が設けられており、挿入耳部を挿入孔に組み入れることによって、シェルが手動によって回転されたとき、第１のクラッチ歯車がストロークシートおよび接続シャフトを同期して回転駆動させ、接続シャフトの回転によって、エネルギー貯蔵機構に弾性ポテンシャルエネルギーを貯蔵するようにさらに駆動させるようになっている。
【０００９】
第２のクラッチ歯車が垂直方向上方に移動することができ、第２のクラッチ歯車が回転しているときに、２つの回転体が同期回転することができることを確実なものとするために、ディスク体に３つの耳部が上方に凸状に設けられており、これに対応して、耳部に嵌着される３つのバネが設けられており、これに対応して、第２のクラッチ歯車に耳部に嵌着される３つの耳孔が設けられている。
【００１０】
本発明のエネルギー貯蔵機構は、エネルギー貯蔵バネと、エネルギー貯蔵バネが取り付けられたバネケースと、バネケースの上方に取り付けられた一方向歯車であって、弾性ポテンシャルエネルギーが貯蔵されるとき、エネルギー貯蔵バネが逆方向に回転してエネルギーを放出することを防ぐために用いられるようになっている、一方向歯車と、を備えており、エネルギー貯蔵バネおよび一方向歯車の両方は、接続シャフトと同期回転可能になっている。クラッチ機構が位置する端における回転体を手動によって回転させると、エネルギー貯蔵バネおよび一方向歯車は、同期回転し、弾性ポテンシャルエネルギーを貯蔵するようになっており、次いで、クラッチ機構の噛合を手動によって解除させると、エネルギー貯蔵バネが弾性ポテンシャルエネルギーを解放し、一方向歯車が逆方向に回転し、２つの回転体を同期して回転駆動させるようになっている。
【００１１】
さらに、貫通孔が、バネケースの中央に形成されており、一方向歯車に耳部が下方に凸状に設けられており、耳部は、貫通孔を通って、バネケース内に入るようになっており、耳部の周囲に沿って、互いに離間して分配された複数の円弧片が設けられており、円弧片と耳部との間に間隙が保たれており、円弧片の下端にフックが設けられており、一方向歯車がバネケースの貫通孔内に挿入された後、フックがバネケースの貫通孔の外に引き伸ばされ、貫通孔の側面に固定され、これによって、一方向歯車がバネケースに相対的に回転可能に接続されるようになっており、エネルギー貯蔵バネの内端は、円弧片と一方向歯車の耳部との間の間隙に固定して接続されるようになっている。
【００１２】
一方向歯車が一方向においてのみ回転することを可能にするために、一方向歯車は、内側歯車ディスクと、内側歯車ディスク内に配置された複数の自動的に回転可能な制限ブロックと、を備えており、内側歯車ディスクの歯車歯は、螺旋歯車歯であり、制限ブロックの制限爪は、螺旋歯車歯内にクランプされ、これによって、一方向歯車の一方向回転を達成するようになっている。
【００１３】
ヨーヨーボールの両側におけるシェルが回転し、エネルギー貯蔵機構に弾性ポテンシャルエネルギーを貯蔵することを可能にするために、エネルギー貯蔵機構が位置する端における回転体のシェルに取付け位置部が設けられており、取付け位置部に制限ブロックが取り付けられるようになっており、シェルの中央部は、接続シャフトの端に接続され、ネジによって、係止され、かつ固定されている。これによって、シェルがクラッチ機構によって駆動され、噛合状態で回転するとき、エネルギー貯蔵バネおよび一方向歯車は、同期回転し、弾性ポテンシャルエネルギーを貯蔵することになる。
【００１４】
ヨーヨーボール体の２つの回転体が重心のバランスを保つために均等の重量を有することを確実にするために、クラッチ機構が位置する回転体は、その内部に錘リングが設けられており、錘リングは、回転体のディスク体内に配置されており、錘リングを固定するために、リングカバーが錘リング上に被せられ、ディスク体に係止されるようになっている。
【００１５】
本発明によれば、１つの回転体のディスク体は、その内部にクラッチ機構が設けられており、他の回転体のディスク体は、その内部にエネルギー貯蔵機構が設けられており、接続シャフトの２つの端は、それぞれ、クラッチ機構およびエネルギー貯蔵機構に接続されている。クラッチ機構が噛合状態にあるとき、クラッチ機構が位置する端における回転体を手動によって回転させることによって、接続シャフトと他の端におけるエネルギー貯蔵機構の両方を回転駆動させるようになっている。これによって、弾性ポテンシャルエネルギーがエネルギー貯機構に貯蔵されることになる。ある特定のポテンシャルエネルギーが貯蔵された後、クラッチ機構の噛合状態を手動によって解除することによって、エネルギー貯蔵機構は、弾性ポテンシャルエネルギーを解放し、２つの回転体を同期して回転させるように、すなわち、ヨーヨーボール体の全体を回転させるように、駆動させることになる。従って、紐を用いて、ヨーヨーボール体を投げ下ろし、ヨーヨーボール体を回転させる必要がない。換言すれば、たとえ紐が短すぎても、ボール体は、高速度で回転することができ、この高速回転は、ボール体が投げ下ろされた後、加速領域によって影響されない。従って、たとえ背の低いプレーヤーであっても、ヨーヨーボールのプレイを最大限に楽しみ、種々の曲芸的な動きをもたらすことができる。年齢および背の高さが異なるプレーヤーのそれぞれの要求が満たされることになる。既存のヨーヨーボールと比較して、エネルギーを手動によって貯蔵することができるこの手持式ヨーヨーボールは、新規の操作モードおよび新規のプレイ方法を拡大させ、より興味を高め、かつプレイ方法をより多様化させることができる。加えて、エスケープメント部材が、クラッチ歯車組を係合および解除するように制御するための操作要素として用いられている。エスケープメント部材は、ボールペンのプッシュ弾性構造と類似している。例えば、エスケープメント部材を押圧することによって、クラッチ歯車組が係合され、エスケープメント部材を再び押圧することによって、クラッチ歯車組が解除されるようになっている。従って、操作が簡便かつ効率的であり、ヨーヨーボールは、耐久性があり、損傷しにくく、かつヨーヨーボールの全体の寿命が効果的に改良されることになる。このヨーヨーボールは、巧妙に設計されており、背の低いユーザーの娯楽のための要件を満たすのみならず、ヨーヨーボールのプレイ方法を拡大するものであり、極めて興味深く、子供たちの娯楽の要求および新しいものに対する探究心を満たし、プレーヤーがプレイ方法について想像を巡らす十分な余地をもたらし、プレーヤーにとってヨーヨーボールを長期にわたって魅力的なものとすることができる。
【００１６】
以下、添付の図面を参照して、本発明についてさらに説明する。
【図面の簡単な説明】
【００１７】
【図１】本発明の三次元的略構造図である。
【図２】本発明の略構造断面図である。
【図３】本発明によるクラッチ機構が位置する端における回転体の分解および組立の略構造図である。
【図４】本発明のエスケープメントシャフトと第１のクラッチ歯車との組立の略構造図である。
【図５】本発明の制限ブロックとシェルとの組立の略構造図である。
【図６】本発明によるエネルギー貯蔵機構が位置する端における回転体の分解および組立の略構造図である。
【発明を実施するための形態】
【００１８】
図１−６に示されているように、エネルギーを手動によって貯蔵することができる手持ち式ヨーヨーボールは、２つの回転体１および２つの回転体１を接続する接続シャフト２を備えている。回転体１のいずれも、ディスク体１１およびシェル１２を備えている。１つの回転体１のディスク体１１は、その内部にクラッチ機構が設けられており、他の回転体１のディスク体１１は、その内部にエネルギー貯蔵機構が設けられている。接続シャフト２の２つの端は、それぞれ、クラッチ機構およびエネルギー貯蔵機構に接続されている。クラッチ機構が位置する端における回転体１を手動によって回転させると、エネルギーがエネルギー貯蔵機構に貯蔵され、次いで、クラッチ機構の噛合状態を手動によって解除させると、エネルギー貯蔵機構がエネルギーを解放し、２つの回転体１を同期回転させるように、すなわち、ヨーヨーボール体の全体を回転させるように駆動させるようになっている。従って、紐を用いて、ヨーヨーボール体を投げ下ろし、ヨーヨーボール体を回転させる必要がない。換言すれば、たとえ紐が短すぎても、ボール体は、高速度で回転することができ、この高速回転は、ボール体が投げ下ろされた後、加速領域によって影響されない。従って、たとえ背の低いプレーヤーであっても、ヨーヨーボールのプレイを最大限に楽しみ、種々の曲芸的な動きをもたらすことができる。年齢および背の高さが異なるプレーヤーのそれぞれの要求が満たされることになる。既存のヨーヨーボールと比較して、エネルギーを手動によって貯蔵することができるこの手持式ヨーヨーボールは、新規の操作モードおよび新規のプレイ方法を拡大させ、より興味を高め、かつプレイ方法をより多様化させることができる。
【００１９】
図３に示されているように、この実施形態のクラッチ機構は、第１のクラッチ歯車３１および第２のクラッチ歯車３２からなるクラッチ歯車組３と、クラッチ歯車組３を係合または解除するように制御するエスケープメント部材４と、を備えている。第１のクラッチ歯車３１は、「逆Ｔ字状」のクラウン歯車であり、歯車歯が下面の周囲に沿って配置されている。丸孔が、第１のクラッチ歯車３１の中央に形成されており、該丸孔には、斜面３１１、溝３１２、および遮断面３１３が設けられている。図４に示されているように、第１のクラッチ歯車３１の上側円筒部は、回転体１のシェル１２の中央の貫通孔内に挿入され、かつ接続されている。この実施形態の第２のクラッチ歯車３２は、丸面を有する歯車であり、歯車歯が、丸面の上側表面に凸状に配置されている。段付き孔が、丸面の中央に形成されており、丸面の周囲の近くに、３つの円筒孔３２１が設けられている。丸孔の縁に３つのノッチが設けられており、回転体１のディスク体１１（の３つのノッチに対応する位置）に配置された凸状縁が、３つのノッチに嵌入されている。この実施形態のエスケープメント部材４は、押圧キャップ４１、エスケープメントシャフト４２、上端押圧円柱４３、ストロークシート４４、およびバネ４５を備えている。押圧キャップ４１の下縁に制限ブロックが設けられており、これに対応して、第１のクラッチ歯車３１の丸孔に制限長孔が設けられている。押圧キャップ４１は、最初、第１のクラッチ歯車３１の下側部から丸孔を通って、次いで、シェル１２の中央の貫通孔を通って、シェル１２の外に延出している。制限長孔および制限ブロックの両方によって、押圧キャップ４１がシェル１２から脱落することが防がれることになる。押圧キャップ４１の下縁は、鋸歯となるように設計されている。エスケープメントシャフト４２の上側部は、弾性耳部である。この耳部は、押圧キャップ４１の孔内に挿入され、かつ接続されることによって、脱落しないようになっている。エスケープメントシャフト４２に凸状斜面４２１が設けられている。押圧キャップ４１を押圧することによって、エスケープメントシャフト４２の凸状斜面４２１は、第１のクラッチ歯車３１の溝３１２内に入るように切り換えられ、押圧キャップ４１を再び押圧することによって、エスケープメントシャフト４２の凸状斜面４２１は、第１のクラッチ歯車３１の遮断面３１３内に入るように切り換えられるようになっている。上端押圧円柱４３の上側部は、エスケープメントシャフト４２の孔内に挿入され、かつ接続されている。上端押圧円柱４３の下側部は、第２のクラッチ歯車３２の中央の段付き孔内に圧入されている。上端押圧円柱４３の下縁に３つのストロークブロックが凸状に設けられており、ストロークシート４４に３つのストローク溝が設けられている。上端押圧円柱４３の３つのストロークブロックは、上端押圧円柱４３の移動距離を制限するために、ストローク溝内に配置されている。ストロークシート４４の下側部に不規則孔４４１が設けられており、これに対応して、接続シャフト２の対応する端は、不規則孔４４１に適合して接続される不規則差込円柱２１となるように設計されている。不規則孔４４１は、不規則差込円柱２１に組み合わされた後、ネジによって係止され、かつ固定されるようになっている。ストロークシート４４の上面に挿入耳部４４２が凸状に設けられており、これに対応して、第１のクラッチ歯車３１に挿入孔３１４が設けられている。挿入耳部４４２を挿入孔３１４に組み入れることによって、ストロークシート４４は、第１のクラッチ歯車３１と同期回転することが可能になる。この実施形態では、全部で３つのバネ４５が配置されている。回転体１のディスク体１１に３つの耳部１１１が上方に凸状に設けられており、バネ４５が耳部１１１に嵌着されており、第２のクラッチ歯車３２の３つの耳孔３２１が耳部１１１に嵌着されている。前述の部分が接続され、かつ組み入れられた後、第１のクラッチ歯車３１およびシェル１２は、固定して接続され、同期回転することが可能である。押圧キャップ４１を押し込んだとき、エスケープメントシャフト４２および上端押圧円柱４３は、移動するように駆動可能である。ストロークシート４４は、回転体１に対して適所に静止しており、接続シャフト２と同期回転するようになっている。バネ４５の作用によって、第２のクラッチ歯車３２は、常に、押し上げられるように付勢されている。エスケープメントシャフト４２の凸状斜面４２１が第１のクラッチ歯車３１の溝３１２内に入るように切り換えられたとき、上端押圧円柱４３は、エスケープメントシャフト４２から下方への圧力を受けず、従って、第２のクラッチ歯車３２に圧力を加えることができない。従って、バネ４５の作用によって、第２のクラッチ歯車３２は、押し上げられ、第１のクラッチ歯車３１に係合されることになる。同時に、上端押圧円柱４３、エスケープメントシャフト４２、および押圧キャップ４１は、バネ４５の作用によって持ち上げられることになる。エスケープメントシャフト４２の凸状斜面４２１が第１のクラッチ歯車３１の遮断面３１３に入るように切り換えられたとき、エスケープメントシャフト４２は、下方に移動し、上端押圧円柱４３を押し込むことになる。上端押圧円柱４３は、第２のクラッチ歯車３２に上端圧を加え、第２のクラッチ歯車３２を下方に移動させ、これによって、第２のクラッチ歯車３２を第１のクラッチ歯車３１から離脱させることが可能になる。
【００２０】
図６に示されているように、この実施形態のエネルギー貯蔵機構は、エネルギー貯蔵バネ５と、バネケース６と、一方向歯車７とを備えている。エネルギー貯蔵バネ５は、螺旋バネである。エネルギー貯蔵バネの内端は、一方向歯車７に固定されており、その外端は、バネケース６に固定されている。バネケース６は、ケース体６１およびカバー体６２を備えている。ノッチ６１１が、ケース体６１の縁に形成されており、エネルギー貯蔵バネ５の外縁が、ノッチ６１１に固定して接続されている。カバー体６２の周囲に沿って、３つの孔付き耳部６２１が設けられている。カバー体６２がケース体６１に被せられた後、カバー体６２およびケース体６１は、耳部６２１の孔および回転体１のネジ孔によって、真っ直ぐに並べられ、ネジによって接続され、かつ固定されるようになっている。貫通孔６０がバネケース６の中央に形成されている。一方向歯車７は、内側歯車ディスク７２と、内側歯車ディスク７２内に配置された自動的に回転可能な複数の制限ブロック７３と、を備えている。内側歯車ディスク７２の歯車歯は、螺旋歯車歯であり、内側歯車ディスク７２の底面に耳部７０が下方に凸状に設けられている。耳部７０は、バネケース６の貫通孔６０を通って、バネケース６内に入るようになっている。耳部７０の周囲に沿って、互いに離間して分配された４つの円弧片７１が設けられており、円弧片７１と耳部７０との間に間隙が保たれている。２つの対称的な円弧片７１の下端にフック７１１が設けられている。一方向歯車７がバネケース６の貫通孔６０内に挿入された後、フック７１１がバネケース６の貫通孔６０の外に引き伸ばされ、貫通孔の側面に固定され、これによって、一方向歯車７がバネケース６に相対的に回転可能に接続されることになる。エネルギー貯蔵バネ５の内端は、円弧片７１と一方向歯車７の耳部７０との間の間隙に固定して接続されている。この実施形態の制限ブロック７３の制限爪は、螺旋歯車歯内にクランプされるようになっている。すなわち、一方向歯車７が制限ブロック７３の方向に対向して回転するとき、制限爪が螺旋歯車歯内にクランプされ、その結果、一方向歯車７は、回転することができず、これによって、一方向歯車７の一方向回転が達成されることになる。エネルギー貯蔵機構が位置する端における回転体１のシェル１２に、制限ブロック７３が取り付けられる取付け位置部１２１が設けられている。取付け位置部１２１は、ピン孔およびシェル１２の内面に配置されたガイドプレートである。図５に示されているように、制限ブロック７３にピン孔と真っ直ぐに並ぶ貫通孔が設けられており、これらの孔は、該孔に挿入された耳部７３１によって、互いに接続されている。ガイドプレートは、制限ブロック７３の回転方向を制御するために用いられるものである。シェル１２の中央部は、接続シャフト２の端に接続され、ネジによって係止され、かつ固定されるようになっている。従って、一方向歯車７は、一方向歯車７が回転する方向において、接続シャフト２と共に回転することもできる。一方向歯車７が回転すると、エネルギー貯蔵バネ５は、締め上げられて弾性ポテンシャルエネルギーを貯蔵するように、駆動されるようになっている。第１のクラッチ歯車３１が第２のクラッチ歯車３２から離脱した後、エネルギー貯蔵バネ５は、弾性ポテンシャルエネルギーを回復かつ解放し、一方向歯車８を回転駆動させるようになっており、そのとき、一方向歯車７は、逆方向に回転することができず、これによって、２つの回転体、すなわち、ヨーヨーボールの全体を逆方向に回転させることになる。エネルギー貯蔵機構が位置する端におけるシェル１２は、さらに接続シャフト１２に一体回転可能に接続されている。従って、たとえシェル１２のいずれの側が回転しても、弾性ポテンシャルエネルギーがエネルギー貯蔵バネ５内に貯蔵されることになる。この実施形態では、シェル１２を回転させるのに都合よく摘むために、シェル１２の外側面に、指で摘んで回転させるのに都合のよいシャンク１２２が設けられている。
【００２１】
図２，３に示されているように、ヨーヨーボール体の２つの回転体１が重心のバランスを保つために均等の重量を有することを確実にするために、クラッチ機構が位置する回転体１は、その内部に錘リング８が設けられている。錘リング８は、回転体１のディスク体１１内に配置されており、錘リング８を固定するために、リングカバー８０が、錘リング８に被せられ、ディスク体１１に係止されている。加えて、主軸受９が、この実施形態におけるヨーヨーボールの２つの回転体１間に配置されており、ヨーヨーボールの紐が、主軸受９の周りに巻き付けられるようになっている。
【００２２】
ヨーヨーボールのプレイ方法は、以下の通りである。
【００２３】
ヨーヨーボールに紐を巻き付け、ヨーヨーボール体を一方の手で保持し、押圧キャップ４１を他方の手で押圧する。押圧キャップ４１が押圧された後、第１のクラッチ歯車３１および第２のクラッチ歯車３２が噛合状態にあることを確認する。次いで、回転体１のシェル１２を回転させる。シェル１２は、一方向歯車７によって制限されているので、一方向に向かってしか回転することができないようになっている。すなわち、シェル１２は、逆方向に回転することができない。回転の過程において、エネルギー貯蔵バネ５が、弾性ポテンシャルエネルギーを貯蔵し始める。シェル１２をさらに回転させることができないとき、エネルギー貯蔵バネ５に対するエネルギー貯蔵が十分であると判別される。次いで、持ち方を変え、一方の手の指に紐を巻き付け、他方の手でヨーヨーボール体の２つの側面の中央部に摘む。手を離しても心配する必要がない。何故なら、たとえ十分なエネルギー貯蔵状態であっても、ヨーヨーボールが回転してエネルギーを解放しないからである。最終的に、押圧キャップ４１を再び押圧し、次いで、ヨーヨーボール体を投げ出すと、第１のクラッチ歯車３１が第２のクラッチ歯車２２から離脱し、これによって、エネルギー貯蔵バネ５は、もはや制限されず、弾性ポテンシャルエネルギーを回復し、かつ解放し始めることになる。この弾性ポテンシャルエネルギーは、回転エネルギーに変換される。その結果、ヨーヨーボール体は、回転し始め、紐に沿って落下し、最終的に、紐の端において高速度で回転し、さらなる種々の曲芸的な動きをもたらすことができる。
【００２４】
実施形態を参照して、本発明を説明してきたが、この説明は、本発明を制限することを意味するものではない。当業者であれば、本発明の説明を参照することによって、開示されている実施形態の他の変更形態を予期することが可能である。しかし、これらの変更形態は、請求項によって制限されている範囲内に包含されることになる。
【図１】
2016539771.tif 000003
【図２】
2016539771.tif 000004
【図３】
2016539771.tif 000005
【図４】
2016539771.tif 000006
【図５】
2016539771.tif 000007
【図６】
2016539771.tif 000008
【国際調査報告】
2016539771.tif 000009
2016539771.tif 000010
2016539771.tif 000011
2016539771.tif 000012